(57)【要約】【課題】幅寸法が極めて大きなスクリーンの巻取り、巻き戻しを行なうことができるようにしたロールスクリーンを提供することである。【解決手段】スクリーン収納ボックス１内に、スクリーン１１の巻取り軸１０を組込み、その巻取り軸１０の内部に、その巻取り軸１０を回転駆動するモータ４０を組込む。巻取り軸１０およびモータ４０のそれぞれを、その巻取り軸１０がスクリーン収納ボックス１の底板２に支持される状態で回転して巻き径の変化により上下動するよう昇降自在に支持して、巻取り軸１０に撓みが生じるのを防止し、幅寸法の大きなスクリーン１１でも円滑に巻き取れるようにする。【選択図】図２
2011001689.tif 000002
【特許請求の範囲】
【請求項１】
スクリーン収納ボックスと、そのスクリーン収納ボックスの内部に組込まれた筒状の回転可能な巻取り軸と、前記スクリーン収納ボックスの一方の端板に支持されて巻取り軸の内部に収容された巻取り軸回転駆動用のモータと、前記巻取り軸に巻き取られ、その巻取り軸の一方向への回転により前記スクリーン収納ボックスの底板に形成された引出し口から外部に引き出されるスクリーンとから成るロールスクリーンにおいて、
前記巻取り軸およびモータのそれぞれを、その巻取り軸がスクリーン収納ボックスの底板に支持される状態で回転して巻き径の変化により上下動するよう昇降自在に支持したことを特徴とするロールスクリーン。
【請求項２】
前記巻取り軸を、前記底板の上面で直接支持した請求項１に記載のロールスクリーン。
【請求項３】
前記巻取り軸を、前記底板に支持された平行一対の回転自在のロールで支持した請求項１に記載のロールスクリーン。
【請求項４】
前記巻取り軸およびモータのそれぞれを垂直方向に昇降自在に支持した請求項１乃至３のいずれかの項に記載のロールスクリーン。
【請求項５】
前記巻取り軸およびモータのそれぞれを、スクリーン収納ボックスの底板で支持されてそのスクリーン収納ボックスの前後板の一方の内面と接触回転するよう斜め方向に昇降自在に支持した請求項１乃至３のいずれかの項に記載のロールスクリーン。
【請求項６】
前記巻取り軸およびモータのそれぞれを、スクリーン収納ボックスの端板内面に取付けられるレールと、そのレールに沿ってスライド自在に支持されたスライダとから成る直動案内軸受によって昇降自在に支持した請求項１乃至５のいずれかの項に記載のロールスクリーン。
【請求項７】
前記巻取り軸の内部に、前記モータの駆動によって巻取り軸がスクリーンを巻き戻す方向に回転した際に捩じり変形して、その復元弾性により巻取り軸にスクリーン巻取り方向の回転力を負荷するコイルばねを組込んだ請求項１乃至６のいずれかの項に記載のロールスクリーン。
【発明の詳細な説明】
【技術分野】
【０００１】
この発明は、窓の日除けとして、あるいは、建屋の出入口を開閉するシャッタとして用いられるロールスクリーンに関する。
【背景技術】
【０００２】
この種のロールスクリーンとして特許文献１に記載されたものが従来から知られている。このロールスクリーンにおいては、巻取り軸によってスクリーンを巻き取り、その巻取り軸から巻き戻しされたスクリーンの両側縁部の移動を案内する対向一対のレール部材のそれぞれ内部にインナーレールを組込み、各インナーレールに上記スクリーンの両側縁部に沿って設けられた抜止め突起が移動自在に挿入されるガイド溝を設け、そのガイド溝の開口端部に一対の内向きフランジを形成し、その一対の内向きフランジにより抜止め突起を抜止め状態において摺動案内するようにしている。
【先行技術文献】
【特許文献】
【０００３】
【特許文献１】特開平８−２２６２９２号公報
【発明の概要】
【発明が解決しようとする課題】
【０００４】
ところで、上記ロールスクリーンには、巻取り軸を手動により回転させるようにした手動式のものと、モータにより巻取り軸を回転させるようにした電動式のものとが存在するが、いずれのロールスクリーンもスクリーン収納ボックス内に組込まれた巻取り軸の両端部を回転自在に支持し、その巻取り軸を定位置で回転させてスクリーンの巻取り、巻き戻しを行なう構成であるため、巻取り軸の軸方向長さが長くなると、軸方向の中央部で撓みが生じて、回転時に振れ回りが生じ、左右方向の幅寸法が大きなスクリーンでは良好に巻き取ることができなくなる。
【０００５】
このため、従来から知られているロールスクリーンは、スクリーン幅が２ｍ程度が限度であった。そのため、ガラス障子が左右方向に連設された大型の窓の日除けに際しては、各窓に対応してロールスクリーンを設けるようにしている。この場合、スクリーンを巻取り軸から引き出した日除け状態で、隣接するスクリーンの対向側縁間に隙間が生じて、体裁が悪く、また、ロールスクリーンのそれぞれを単独に操作してスクリーンの巻取り、巻き戻しを行なう必要があり、スクリーン幅が１０ｍを超える大きさのロールスクリーンの出現が要望されている。
【０００６】
この発明の課題は、幅寸法が極めて大きなスクリーンの巻取り、巻き戻しを行なうことができるようにしたロールスクリーンを提供することである。
【課題を解決するための手段】
【０００７】
上記の課題を解決するため、この発明においては、スクリーン収納ボックスと、そのスクリーン収納ボックスの内部に組込まれた筒状の回転可能な巻取り軸と、前記スクリーン収納ボックスの一方の端板に支持されて巻取り軸の内部に収容された巻取り軸回転駆動用のモータと、前記巻取り軸に巻き取られ、その巻取り軸の一方向への回転により前記スクリーン収納ボックスの底板に形成された引出し口から外部に引き出されるスクリーンとから成るロールスクリーンにおいて、前記巻取り軸およびモータのそれぞれを、その巻取り軸がスクリーン収納ボックスの底板に支持される状態で回転して巻き径の変化により上下動するよう昇降自在に支持した構成を採用したのである。
【０００８】
上記の構成からなるロールスクリーンにおいては、モータの駆動により巻取り軸を回転すると、その巻取り軸はスクリーン収納ボックスの底板で支持される状態で回転して、スクリーンの巻取り、巻き戻しを行うことになり、巻取り軸およびモータはスクリーンの巻き径が大きくなると上方に移動し、反対に、巻き径が小さくなると下降する。
【０００９】
いずれの場合も、巻取り軸およびモータは、その巻取り軸が底板で支持される状態で上下動するため、巻取り軸に撓みが生じるおそれはなく、幅寸法の大きなスクリーンにおいても、そのスクリーンを常にきれいに確実に巻き取ることができる。
【００１０】
ここで、巻取り軸は、スクリーン収納ボックスの底板の上面で直接支持するようにしてもよく、あるいは、上記底板に支持された平行一対の回転自在のロールで支持するようにしてもよい。平行一対のロールで巻取り軸を回転自在に支持する構成を採用した場合には、巻取り軸を円滑に回転させることができるため、回転抵抗の低減化を図ることができ、モータとして小型のものを採用することができる。
【００１１】
また、巻取り軸およびモータのそれぞれは、垂直方向に上下動するよう昇降自在に支持してもよく、あるいは、スクリーン収納ボックスの前後板の一方の内面と接触回転するよう斜め方向に上下動するよう昇降自在に支持してもよい。斜め方向に昇降自在に支持すると、スクリーンの巻取り時、スクリーンは、前後板の一方との接触部および底板上での接触部において弛みが除去されることになるため、スクリーンをきれいに巻き取ることができる。
【００１２】
この発明に係るロールスクリーンにおいて、巻取り軸およびモータの昇降自在の支持に際し、巻取り軸およびモータのそれぞれを、スクリーン収納ボックスの端板内面に取付けられるレールと、そのレールに沿ってスライド自在に支持されたスライダとから成る直動案内軸受によって昇降自在に支持することにより、巻取り軸およびモータをスムーズに昇降動させることができる。
【００１３】
また、巻取り軸の内部に、モータの駆動によって巻取り軸がスクリーンを巻き戻す方向に回転した際に捩じり変形して、その復元弾性により巻取り軸にスクリーン巻取り方向の回転力を負荷するコイルばねを組込むことにより、モータの駆動により巻取り軸をスクリーン巻き戻し方向に回転させると、コイルばねが捩じり変形し、その復元弾性によって巻取り軸に巻取り方向への回転力を付与するため、モータで巻取り軸を巻き取り方向に回転させた際に、巻取り軸はコイルばねによっても回転されることになり、そのコイルばねのアシストにより、モータとして小型のものを採用することができる。
【発明の効果】
【００１４】
上記のように、この発明においては、モータによって回転駆動される巻取り軸がスクリーン収納ボックスの底板で支持される状態で回転して、スクリーンの巻取り、巻き戻しを行うため、巻取り軸に撓みが生じるおそれはなく、幅寸法が極めて大きなスクリーンの巻取り、巻き戻しを可能とすることができる。
【図面の簡単な説明】
【００１５】
【図１】この発明に係るロールスクリーンの実施の形態を示す正面図
【図２】図１のスクリーン収納ボックス部を拡大して示す断面図
【図３】図２のIII−III線に沿った断面図
【図４】図２のIV−IV線に沿った断面図
【図５】図２のV-V線に沿った断面図
【図６】図２のVI-VI線に沿った断面図
【図７】巻取り軸の支持の他の例を示す断面図
【図８】巻取り軸の支持のさらに他の例を示す断面図
【図９】巻取り軸を昇降自在に支持する直動案内軸受の他の使用例を示す断面図
【図１０】この発明に係るロールスクリーンの他の実施の形態を示す正面図
【図１１】図１０に示す巻取り軸の一部切欠断面図
【発明を実施するための形態】
【００１６】
以下、この発明の実施形態を図面に基づいて説明する。図１乃至図３に示すように、スクリーン収納ボックス１は角筒状をなし、その底板２には左右両端方向に長く延びる引出し口３が設けられている。
【００１７】
スクリーン収納ボックス１の内部には巻取り軸１０が組込まれている。巻取り軸１０にはスクリーン１１の一端部が連結されている。スクリーン１１は巻取り軸１０の回転によって巻取り、巻き戻しされ、その巻き戻しの際には、スクリーン収納ボックス１の底板２に形成された上記引出し口３から下方に向けて引き出され、その下端にはスクリーン１１の長さ方向に張力を付与するウェイトバー１２が設けられている。
【００１８】
また、スクリーン１１の両側縁部には、図６に示すように、多数の抜止め突起１３が設けられている。抜止め突起１４の取り付けに際し、ここでは、スライドファスナのファスナテープ１４をスクリーン１１の側縁部に重ね合わせて溶着し、そのファスナテープ１４の側縁部に取り付けられたファスナエレメントを抜止め突起１３としている。
【００１９】
図１に示すように、スクリーン収納ボックス１の下面両端部には、対向配置されて上下方向に長く延びる一対のレール部材２０のそれぞれ上端部が連結されている。
【００２０】
図６に示すように、レール部材２０には、その対向面において開口する挿入溝２１と、その挿入溝２１に連通するレール収納空間２２とが形成されている。挿入溝２１およびレール収納空間２２のそれぞれはレール部材２０の長さ方向（上下方向）に長く延び、上記挿入溝２１の上端の開口がスクリーン収納ボックス１の引出し口３の両端と対向している。
【００２１】
レール収納空間２２の内部にはインナーレール２３が組込まれている。インナーレール２３はレール部材２０と同じ長さとされている。このインナーレール２３にはスクリーン１１の両側縁に沿って設けられた抜止め突起１３が移動自在に挿入されるガイド溝２４が形成され、そのガイド溝２４の開口端部に抜止め突起１３を抜止め状態において摺動案内する一対の内向きフランジ２５が設けられている。
【００２２】
また、インナーレール２３には外側面に前後に張り出す膨出部２６が形成され、その膨出部２６とレール部材２０の内側壁間にスポンジ等の弾性体２７が組込まれている。弾性体２７は、インナーレール２３を外側方に向けて付勢してスクリーン１１に幅方向のテンションを付与するようになっている。
【００２３】
図２に示すように、スクリーン収納ボックス１における左右方向両端の端板４のそれぞれ内面側に直動案内軸受３０が設けられている。図２および図４に示すように、直動案内軸受３０は、直線状のレール３１と、そのレール３１に沿って移動自在に支持されたスライダ３２からなり、そのスライダ３２とレール３１の摺動案内面間に循環式のボール（図示省略）が組込まれている。
【００２４】
レール３１は、端板４の内面に固定されている。このとき、レール３１は垂直方向に長く延びる取付けとされ、そのレール３１に沿ってスライダ３２が昇降動し得るようになっている。
【００２５】
スライダ３２には、巻取り軸１０の端部と対向する面にコの字形の軸受部３４が設けられ、一方のスライダ３２における軸受部３４に角軸からなる支持軸３５の一端部が嵌合されてビス３６の締め付けにより固定されている。
【００２６】
支持軸３５は、水平状の片持ち支持とされ、その支持軸３５の外側に回転自在に設けられた軸受筒３７が巻取り軸１０の一方の端部内に嵌合されている。図５に示すように、軸受筒３７の外周には複数の回り止め溝３８が周方向に間隔をおいて形成され、その回り止め溝３８内に巻取り軸１０の内周に設けられた突出部３９が係合して軸受筒３７は巻取り軸１０に回り止めされ、上記巻取り軸１０の一方の端部は、支持軸３５を中心にして回転自在の支持とされている。このとき、スライダ３２は昇降自在の支持であるため、巻取り軸１０は外周下部が、スクリーン収納ボックス１の底板２で支持されることになる。
【００２７】
図１および図２に示すように、巻取り軸１０の他方の端部内には減速機付きモータ４０が挿入され、そのモータ４０の回転軸に固定された駆動リング４１の外周には、図３に示すように、キー４２が一体に設けられ、そのキー４２が巻取り軸１０の突出部３９に形成されたキー溝４３に係合しており、モータ４０を駆動すると巻取り軸１０が回転するようになっている。
【００２８】
図２に示すように、モータ４０の端面には角軸からなる支持軸４４が設けられている。支持軸４４は直動案内軸受３０のスライダ３２の軸受部３４に嵌合され、ビス４５の締め付けにより軸受部３４に固定されている。このため、モータ４０は非回転の支持とされている。
【００２９】
モータ４０の外周には軸受筒４６が回転自在に嵌合されている。軸受筒４６は巻取り軸１０の他方の端部内に嵌合されて回り止めされている。このため、巻取り軸１０はモータ４０および前述の支持軸３５を中心にして、底板２に支持される状態で回転自在とされている。
【００３０】
実施の形態で示すロールスクリーンは上記の構成からなり、モータ４０を駆動すると、その回転は駆動リング４１を介して伝達され巻取り軸１０が回転する。そこで、巻取り軸１０を図３の矢印で示す方向に回転させると、巻取り軸１０はスクリーン収納ボックス１の底板２で支持される状態で回転して、スクリーン１１を巻取り、そのスクリーン１１の巻き径が大きくなるにつれて、巻取り軸１０およびモータ４０がレール３１に沿って上方に移動する。
【００３１】
一方、モータ４０を逆回転して、巻取り軸１０を図３の矢印で示す方向と反対の方向に回転させると、巻取り軸１０はスクリーン収納ボックス１の底板２で支持される状態で回転して、スクリーン１１を巻き戻し、そのスクリーン１１の巻き径が小さくなるにつれて、巻取り軸１０およびモータ４０がレール３１に沿って下方に移動する。
【００３２】
スクリーン１１の巻取り、および、巻き戻しのいずれの場合も、巻取り軸１０およびモータ４０は、その巻取り軸１０が底板２で支持される状態で上下動するため、巻取り軸１０に撓みが生じるおそれはない。このため、幅寸法の大きなスクリーン１１、例えば、１０ｍを超える大きなスクリーン１１においても、そのスクリーン１１を常にきれいに確実に巻き取ることができる。
【００３３】
図３に示す例においては、巻取り軸１０をスクリーン収納ボックス１の底板２に支持したが、図７に示すように、上記底板２上に滑り軸受５０を取付け、その滑り軸受５０の上側に設けられた円弧状の軸受面５１で回転自在に支持してもよい。
【００３４】
また、図８に示すように、スクリーン収納ボックス１の底板２上に平行一対のロール５２を回転自在に設け、その一対のロール５２で巻取り軸１０を回転自在に支持してもよい。平行一対のロール５２で巻取り軸１０を回転自在に支持すると、巻取り軸１０を円滑に回転させることができるため、回転抵抗の低減化を図ることができ、モータ４０として小型のものを採用することができる。
【００３５】
図４では、直動案内軸受３０のレール３１を垂直方向に向く取付けとして、巻取り軸１０およびモータ４０のそれぞれを垂直方向に上下動するよう昇降自在に支持したが、図９に示すように、上記レール３１を、その下端が引出し口３の上方に位置するよう傾斜状に取付けて、巻取り軸１０がスクリーン収納ボックス１の前板５の内面および底板２の上面の２箇所において接触回転する状態で斜め方向に上下動するよう昇降自在に支持してもよい。
【００３６】
図９に示すように、巻取り軸１０を斜め方向に上下動するよう昇降自在に支持すると、スクリーン１１の巻取り時、そのスクリーン１１は、前板５との接触部および底板２上での接触部において弛みが除去されることになるため、スクリーン１１をきれいに巻き取ることができる。
【００３７】
なお、直動案内軸受３０のレール３１の上端が引出し口３の上方に位置するよう上記レール３１を傾斜状に取付け、巻取り軸１０がスクリーン収納ボックス１の後板６の内面および底板２の上面の２箇所において接触回転する状態で斜め方向に上下動するよう昇降自在に支持してもよい。
【００３８】
図１０および図１１は、この発明に係るロールスクリーンの他の例を示す。この例においては、支持軸３５の端部および巻取り軸１０の内部に固定されたトルク伝達リング６０の連結軸６１間に、モータ４０の駆動によって巻取り軸１０がスクリーンを巻き戻す方向に回転した際に捩じり変形するコイルばね６２を取付けるようにしている。
【００３９】
上記のように、巻取り軸１０内にコイルばね６２を組込むと、モータ４０の駆動により巻取り軸１１をスクリーン巻き戻し方向に回転させると、コイルばね６２が捩じり変形し、その復元弾性によって巻取り軸１１に巻取り方向への回転力が付与される。このため、コイルばね６２はモータ４０をアシストして巻取り軸１０を巻取り方向に回転させることになり、モータ４０として小型のものを採用することができる。
【符号の説明】
【００４０】
１    スクリーン収納ボックス
２    底板
３    引出し口
４    端板
５    前板
６    後板
１０  巻取り軸
１１  スクリーン
３０  直動案内軸受
３１  レール
３２  スライダ
４０  モータ
５２  ローラ
６２  コイルばね
【図１】
2011001689.tif 000003
【図２】
2011001689.tif 000004
【図３】
2011001689.tif 000005
【図４】
2011001689.tif 000006
【図５】
2011001689.tif 000007
【図６】
2011001689.tif 000008
【図７】
2011001689.tif 000009
【図８】
2011001689.tif 000010
【図９】
2011001689.tif 000011
【図１０】
2011001689.tif 000012
【図１１】
2011001689.tif 000013